(57)【要約】【課題】従来技術で既知の欠点を少なくとも部分的に克服し、ユーザ利便性が高められた警報バルブステーションを提供する。【解決手段】本発明は、消火装置（１００）、とりわけスプリンクラー消火装置または水噴射消火装置の警報バルブステーション（８０）に関し、消火装置バルブ（１）とケーシング（２、３）を備え、ケーシング（２、３）は、流体入口室（８）、流体出口室（９）、および阻止状態と解放状態との間で往復運動可能な閉鎖体（４ａ）を有し、流体入口室（８）と流体出口室（９）は、阻止状態では互いに分離されており、解放状態では流体的に互いに連通している。とりわけ、評価ユニットが、一つ以上のアクチュエータと信号的に接続されており、一つ以上のアクチュエータを制御命令によって制御するように構成されていることが提案され、警報バルブステーションは、好ましくは一つ以上のセンサを有し、前記評価ユニットは、一つ以上のセンサと信号的に接続されており、前記評価ユニットのために存在するセンサデータに依存して一つ以上のアクチュエータを制御するように構成されている。【選択図】図１
2018508713.tif 000002
【特許請求の範囲】
【請求項１】
消火装置（１００）、とりわけスプリンクラー消火装置または水噴射消火装置の警報バルブステーション（８０）であって、
消火装置バルブ（１）とケーシング（２、３）を備え、前記ケーシング（２、３）は、流体入口室（８）、流体出口室（９）、および阻止状態と解放状態との間で往復運動可能な閉鎖体（４ａ）を有し、前記流体入口室（８）と前記流体出口室（９）は、阻止状態では互いに分離されており、解放状態では流体的に互いに連通しており、
さらに電子的評価ユニット（５０）を備え、前記評価ユニット（５０）は、前記ケーシング（２、３）に組み込まれているか、前記ケーシング（２、３）に外部で配置されているか、または前記消火装置バルブ（１）の近傍領域に配置されているという警報バルブステーションであり、
前記評価ユニット（５０）は、
−  一つ以上のアクチュエータと信号的に接続されており、
−  一つ以上の前記アクチュエータを制御命令によって制御するように構成されており、
前記警報バルブステーション（８０）は、好ましくは一つ以上のセンサを有し、前記評価ユニット（５０）は、一つ以上の前記センサと信号的に接続されており、前記評価ユニット（５０）のために存在するセンサデータに依存して一つ以上の前記アクチュエータを制御するように構成されていること
を特徴とする警報バルブステーション。
【請求項２】
前記評価ユニット（５０）は、データインタフェース（１０）を有し、前記データインタフェース（１０）により制御命令を受信するように構成されており、かつ一つ以上の前記アクチュエータを受信された好ましくはさらに処理された制御命令によって制御するように構成されていること
を特徴とする、請求項１に記載の警報バルブステーション。
【請求項３】
前記閉鎖体（４ａ）は、制御駆動部としてのアクチュエータを有し、前記電子的評価ユニット（５０）は、前記閉鎖体（４ａ）を前記制御駆動部によって選択的に解放位置または阻止位置にもたらすように構成されていること
を特徴とする、請求項１または２に記載の警報バルブステーション。
【請求項４】
前記閉鎖体（４ａ）は、パイロット制御駆動部としてのアクチュエータを有し、前記電子的評価ユニット（５０）は、前記閉鎖体（４ａ）を前記パイロット制御駆動部によってロックまたはロック解除するように構成されていること
を特徴とする、請求項１から３のいずれか一項に記載の警報バルブステーション。
【請求項５】
前記警報バルブステーション（８０）は、警報チャネル（５）と、前記警報チャネル（５）に注水するための検査バルブ（１７）とを有し、前記検査バルブ（１７）は、制御駆動部としてのアクチュエータを有し、前記電子的評価ユニット（５０）は、前記検査バルブ（１７）を前記制御駆動部によって選択的に解放位置または阻止位置にもたらすように構成されていること
を特徴とする、請求項１から４のいずれか一項に記載の警報バルブステーション。
【請求項６】
一つ以上のセンサを備え、
前記評価ユニット（５０）は、データを受信するために一つ以上の前記センサと信号的に接続されており、
−  状態情報、または
−  操作指示
のうちの少なくとも一つについてデータ処理するように構成されており、かつ前記状態情報および／または前記操作指示を表示ユニット（４０）に伝送するように構成されていること
を特徴とする、請求項１から５のいずれか一項に記載の警報バルブステーション。
【請求項７】
好ましくは、前記状態情報および／または前記操作指示を前記評価ユニット（５０）から受信し、表示するように構成された、表示ユニット（４０）を有すること
を特徴とする、請求項１から６のいずれか一項に記載の警報バルブステーション。
【請求項８】
前記表示ユニット（４０）は、前記ケーシング（２、３）に組み込まれていること
を特徴とする、請求項６に記載の警報バルブステーション。
【請求項９】
前記表示ユニット（４０）は、前記ケーシング（２、３）に外部で配置されているか、または前記警報バルブステーション（８０）の近傍領域に配置されていること
を特徴とする、請求項６に記載の警報バルブステーション。
【請求項１０】
前記表示ユニット（４０）は、数値および／またはテキスト文字を表示するように構成されており、前記表示ユニット（４０）は、好ましくはディスプレイ、とりわけＬＣＤディスプレイまたはＬＥＤディスプレイ（４１）を含むこと
を特徴とする、請求項６から９のいずれか一項に記載の警報バルブステーション。
【請求項１１】
前記表示ユニット（４０）は、携帯通信機器として、好ましくは移動無線機として、構成されていること
を特徴とする、請求項６から１０のいずれか一項に記載の警報バルブステーション。
【請求項１２】
前記評価ユニット（５０）および／または前記表示ユニット（４０）は、制御命令を入力するための入力装置（４３）を含むこと
を特徴とする、請求項６から１１のいずれか一項に記載の警報バルブステーション。
【請求項１３】
前記入力装置（４３）は、感圧性の入力エレメントを有すること
を特徴とする、請求項１２に記載の警報バルブステーション。
【請求項１４】
前記消火装置バルブ（１）の前記ケーシング（２、３）には、前記表示ユニット（４０）を可逆的に脱着可能に固定するための固定装置（４５）が配置されていること
を特徴とする、請求項６から１３のいずれか一項に記載の警報バルブステーション。
【請求項１５】
前記データインタフェース（１０）は、遠隔に配置されたデータ処理ユニットと単方向または双方向に好ましくは無線でデータ交換するように構成されていること
を特徴とする、請求項２から１４のいずれか一項に記載の警報バルブステーション。
【請求項１６】
前記表示ユニット（４０）と前記評価ユニット（５０）は、データインタフェース（１０）によって信号的に接続されていること
を特徴とする、請求項７から１５のいずれか一項に記載の警報バルブステーション。
【請求項１７】
前記表示ユニット（４０）と前記評価ユニット（５０）は、第２の専用データインタフェースによって信号的に接続されており、前記専用データインタフェースは、ＵＳＢインタフェース、ＰＣＩインタフェース、ＰＣＩ−Ｅｘｐｒｅｓｓインタフェース、サンダーボルトインタフェース、ＷＰＡＮインタフェース、とりわけＶＦＩＲ−ＩｒＤＡ、ＩＦＩＲ−ＩｒＤＡ、Ｂｌｕｅｔｏｏｔｈ、またはＮＦＣとして構成されていること
を特徴とする、請求項７から１５のいずれか一項に記載の警報バルブステーション。
【請求項１８】
前記表示ユニット（４０）と前記評価ユニット（５０）は、前記専用データインタフェースによって互いに識別し、好ましくは自動的に信号接続を確立するように構成されていること
を特徴とする、請求項１７に記載の警報バルブステーション。
【請求項１９】
一つ以上の前記センサは、好ましくは前記ケーシング（２、３）に組み込まれた一つ以上の圧力センサ（６）を含むこと
を特徴とする、請求項１から１８のいずれか一項に記載の警報バルブステーション。
【請求項２０】
前記消火装置バルブ（１）内の流体温度、および／または前記警報バルブステーション（８０）の一つ以上のさらなるコンポーネント内の温度、および／または警報バルブステーション（８０）の周囲温度を検出するように構成された一つ以上の温度センサ（７０）が設けられていること
を特徴とする、請求項１から１９のいずれか一項に記載の警報バルブステーション。
【請求項２１】
水の硬度を検出するため、および／または通流速度を検出するための一つ以上の内部測定装置（２１）が設けられていること
を特徴とする、請求項１から２０のいずれか一項に記載の警報バルブステーション。
【請求項２２】
少なくとも一つの流体パイプ（１１）を備え、さらに一つ以上の流体パイプが接続された警報バルブステーションを備える消火装置（１００）、とりわけスプリンクラー装置または水噴射装置であって、前記警報バルブステーションは、請求項１から２１のいずれか一項に記載の警報バルブステーション（８０）として構成されていること
を特徴とする消火装置。
【発明の詳細な説明】
【技術分野】
【０００１】
本発明は、消火装置、とりわけスプリンクラー消火装置または水噴射消火装置の警報バルブステーションに関するものであり、消火装置バルブとケーシングとを備え、該ケーシングは、流体入口室、流体出口室、および阻止状態と解放状態との間で往復運動可能な閉鎖体（可動弁体）を有する。ここで流体入口室と流体出口室は、阻止状態では互いに分離されており、解放状態では流体的（流体を通すよう）に互いに連通している。本発明はさらに、一つまたは複数の流体パイプが接続された警報バルブステーションを備えるそのような消火装置に関する。
【背景技術】
【０００２】
消火装置バルブとは、本発明では受動型および能動型の警報バルブの種類と理解される。この消火装置バルブは、消火装置、とりわけ水ベースの消火剤（例えば水、水と添加物、低圧および高圧領域での霧状の水）による消火装置の警報バルブステーションで使用するために構成されている。水ベースの消火剤を備える消火装置においてこのバルブ形式の最も有名な代表は、湿式および乾式の警報バルブ、並びに水噴射バルブである。ガス状の消火剤による消火装置の領域で、概念「警報バルブ」は一般的ではなく、ここでは通常、領域バルブまたは消火剤制御バルブと呼ばれる。当該保護権（特許）で使用される概念「警報バルブ」はこのバルブ形式も含む。
【０００３】
本発明によれば警報バルブステーションとは、消火装置バルブおよび直接的に機能するその周りの環境と理解される。これには消火装置バルブ自体の他に、消火剤供給管および消火剤排出管に割り当てられておらず、測定、警報、制御、監視の目的で消火装置バルブに取り付けられた、ないしその近傍領域に配置されたすべてのエレメント、とりわけ付属部品、閉鎖機構、取付部品（Armaturen）およびパイプも所属する。
【０００４】
受動型警報バルブとは、入口側と出口側との間で所定の圧力差を超過すると自動的に開放するバルブであると理解される。通常はバルブ自体により、例えば、外部の警報チャネルに配置され、その際には電気的に駆動される警笛のような警報手段を制御する圧力スイッチによって間接的に、および／または警報バルブと流体技術的に接続された液圧的に駆動される警報手段、例えば水により駆動される警鐘への消火剤の流れの制御により直接的に、その開放状態を検知することに応答して警報がトリガされる。部分的には、液圧的に駆動される警鐘の代わりにまたはそれに加えて、光学的表示器が警報バルブの領域に配置されており、これにより複数の警報バルブが並列に配置されている場合には、どの警報バルブが開放したかをより良く区別することができる。
【０００５】
能動型警報バルブとは、外部火災識別手段からの火災信号の入力後に、または外部の制御介入の機能として、バルブの開放により当該バルブが能動的に流体流を解放し、受動型警報バルブの場合と同じように警報がトリガされるバルブであると理解される。前記バルブ形式で共通することは、これらのバルブはしばしば長期にわたって、使用する必要なしに消火装置に組み込まれており、危急の場合にバルブが確実に機能することが重要なことである。したがってバルブの機能性の定期検査が不可欠である。
【０００６】
公知の消火装置の点検は、規則的な間隔で、例えば毎週、多くは消火装置会社の人員によって行われる。消火装置の点検は、とりわけ警報機能の検査、並びに場合により、センサの信号の読み取り（例えば圧力、充填状態、温度）、および／または消火装置のアクチュエータが所望のように作動されるか否かの検査を含む。センサは、圧力計のような機械的センサとすることができるが、物理的信号を電気的／電子的信号に変換するセンサでも良い。
【先行技術文献】
【特許文献】
【０００７】
記載なし
【発明の概要】
【発明が解決しようとする課題】
【０００８】
消火装置の警報機能を検査するためにこれまでは、バルブ、例えばボールバルブを手動で開放し、これにより一つまたは複数のパイプの注水（水の充満、Flutung）をトリガする必要があった。このようにして消火過程のトリガがシミュレートされ、これにより警報機能の検査を行うことができる。消火過程がトリガされると、通常は警報信号が火災通報センタおよび／または消火制御センタに送信され、これにより火災通報センタおよび／または消火制御センタに警報信号が入力される場合、消火装置の警報機能が正常に動作していることを前提にすることができる。引き続きバルブは再び閉じられ、火災警報器センタおよび／または消火制御センタはリセットされ、これにより消火装置は再び動作待機状態に置かれる。したがって消火装置の警報機能を検査するために、大きな時間的および人的な手間とコストが必要である。
【０００９】
センサの指示値を読み取るために、および／または消火装置のアクチュエータが所望のように作動されるか否かを検査するために、通常は火災通報センタおよび／または消火制御センタが読み出され、あるいはこれらのセンタを介して制御信号がアクチュエータに送信される。これらのセンタは、対応のセンサおよび／またはアクチュエータと信号的に（信号を伝送するように）に接続されている。しかし火災通報センタおよび／または消火制御センタは、通常、とりわけ複雑な消火装置の場合、別個の空間に存在している。したがって例えばスプリンクラー監視員（Sprinklerwart）、メカニックまたはサービス用員のような保守作業員は、センサの検査および／またはアクチュエータへの制御信号のトリガを、消火装置の警報バルブにおいて直接的に実行することはできない。このことは、とりわけ大規模施設において点検の手間と費用を格段に上昇する。
【００１０】
同じことが、例えば、消火装置の製造業者により毎年、要求されるメインテナンス中に発生する作業に対しても当てはまる。以下では、点検および保守作業を概念「メインテナンス」の下に包括する。
【００１１】
したがって本発明の基礎となる課題は、従来技術で既知の欠点を少なくとも部分的に克服する警報バルブステーションを提供することである。とりわけ本発明の基礎となる課題は、ユーザ利便性（ユーザフレンドリ性）が高められた警報バルブステーションを提供することである。
【課題を解決するための手段】
【００１２】
本発明はその基礎となる課題を請求項１にしたがい、評価ユニットが、一つまたは複数のアクチュエータと信号的に（信号を伝送するように）接続されており、かつ当該アクチュエータを制御命令によって制御するように構成されている、ことによって解決する。この構成によれば、警報バルブステーションは、好ましくは一つまたは複数のセンサを有し、評価ユニットは、好ましくは独立的に、当該評価ユニットのために存在するセンサデータに依存して一つまたは複数のアクチュエータを制御するように構成されている。
【発明を実施するための形態】
【００１３】
以下、発明を実施するための形態について説明する。
【００１４】
さらに好ましくは、評価ユニットは、これがデータインタフェースを有する実施形態では、データインタフェースによって制御命令を受信するように構成されており、かつ一つまたは複数のアクチュエータを、受信され、好ましくはさらに処理された制御命令によって制御するように構成されている。本発明で制御命令について述べる場合、これについては、評価ユニットがさらなる処理なしでアクチュエータに対してこれらを制御するためにさらに出力する信号でもあり、評価ユニットが制御命令に処理された信号によってアクチュエータを制御する前に評価ユニットが処理する信号でもあると理解される。
【００１５】
ここでアクチュエータは、基本的に公知の電気的ないし電磁的、液圧的または気圧的な制御駆動部とすることができ、それぞれ相応の制御部を備える。
【００１６】
閉鎖体（可動弁体）は、好ましくはアクチュエータを制御駆動部として有し、電子的評価ユニットは、閉鎖体を制御駆動部によって選択的に解放位置または阻止位置にもたらすように構成されている。
【００１７】
その代わりに閉鎖体は、好ましくはアクチュエータをパイロット制御駆動部（Vorsteuerantrieb）として有し、電子的評価ユニットは、閉鎖体をパイロット制御駆動部によってロックまたはロック解除するように構成されている。ロックされた状態で閉鎖体は、流体入口室に場合により流体過圧が存在していても阻止位置に留まる。ロック解除された状態で流体入口室内の流体圧は、閉鎖体を解放位置にもたらす。閉鎖体の運動を両方向で、すなわち解放位置へおよびそこから阻止位置へも制御する上記の能動型消火装置バルブとの相違点は、パイロット制御駆動部を備えるこれらのバルブは、受動型バルブと能動型バルブの間の混合形式を形成することである。すなわちこれらのバルブは解放をロックによって阻止することができるが、解放が行われた後にロックを再び能動的に行うことはできない。これらのバルブは、パイロット制御される警報バルブの概念の下でも公知である。
【００１８】
その代わりにまたはそれに加えて警報バルブステーションは、好ましくは警報チャネルと、この警報チャネルに注水するための検査バルブを有し、該検査バルブはアクチュエータを制御駆動部として有し、電子的評価ユニットは、検査バルブを制御駆動部によって選択的に解放位置または阻止位置にもたらすように構成されている。この実施形態では専用バルブアセンブリ（専用バルブ装置）、いわゆる検査バルブアセンブリが設けられており、この検査バルブアセンブリは、流体入口室と流体出口室との間に配置された消火装置バルブの閉鎖体の代わりにまたはそれに加えて警報チャネルに配置される。この検査バルブアセンブリは、ここでは（消火装置バルブの形態に応じて受動的にまたは制御駆動部によって）（メイン）閉鎖体を作動させる必要なしに、警報チャネルの注水を引き起こすように構成されている。好ましくはこの検査バルブアセンブリの制御駆動部は同様に遠隔制御可能であり、すなわち評価ユニットによって独立的におよび／またはデータインタフェースによって遠隔制御可能である。
【００１９】
消火装置バルブないし検査バルブアセンブリの閉鎖体の遠隔制御可能な開放の場合、消火流体の流れに起因する圧力上昇が、例えば警報チャネルに配置された一つまたは複数の圧力センサによってセンシングされ、評価ユニットによりさらに処理することができる。従って遠隔制御をこのように可能にすることにより、消火装置の作動準備状態の検査のために必要な時間的および人員的な手間とコストが格段に低下する。
【００２０】
警報チャネルは好ましくは、消火装置バルブの内部で案内されるチャネルとして、および／またはバルブステーションにおける外部パイプとして構成されている。
【００２１】
信号的に制御駆動部と接続された評価ユニットに基づき、警報バルブステーションの警報機能を検査するために、検査バルブまたは消火装置バルブの閉鎖体のそれぞれのアクチュエータ、とりわけ制御駆動部、またはパイロット制御駆動部を手動で作動することはもはや必然的なことではない。本発明による警報バルブステーションの場合、データインタフェースおよび評価ユニットを介して、火災通報センタまたは遠隔コントロールセンタを介する中央制御、および／または現場のオペレータによる分散的遠隔制御を選択できるようになる。
【００２２】
さらなる好ましい一実施形態で警報バルブステーションは、一つまたは複数のセンサを備え、電子的評価ユニットは、データの受信のために前記一つまたは複数のセンサと信号的に接続されており、状態情報または操作指示（オペレーション指示 Handlungsanweisungen）のうちの少なくとも一つについてデータ処理するように構成されており、かつ状態情報を表示ユニットに伝送するように構成されている。状態情報とは、本発明ではとりわけ閉鎖体（可動弁体）ないし付加的な検査バルブの阻止状態および解放状態、警報バルブステーションに配置されたセンサにより検出されるデータ、およびさらに好ましくはバルブの設置場所、バルブ形式、および電子的評価ユニットが受信されたデータに基づいて求めたデータ処理の結果と理解される。操作指示とは、例えば観察者に対して所定の機能（行動）を引き起こさせるテキストメッセージであると理解され、例えば所定の取付部品のスイッチオンまたはスイッチオフ、空間の排気、機能テストの実行等である。
【００２３】
本発明は、警報バルブステーションの評価ユニットによりデータ処理を行うインテリジェンス（機能）が提供され、このインテリジェンスは、コントロールセンタ（Leitstelle）、火災通報センタ等による監視とは別個に状態情報および／または操作指示を提供するというアプローチに従うものである。これによりオペレータは、警報バルブステーションをメインテナンスし、稼働することができ、ここでは常にコントロールセンタ、火災通報センタ等のデータに頼る必要はない。
【００２４】
警報バルブステーションは、好ましくは表示ユニットを有しており、この表示ユニットは、好ましくは状態情報および／または操作指示を評価ユニットから受信し、表示するように構成されている。
【００２５】
表示ユニットは、好ましくは消火装置バルブのケーシングに組み込まれているか、またはその代わりにケーシングに外部で配置されているか、または警報バルブステーションの近傍領域に配置されている。
【００２６】
好ましい一実施形態で表示ユニットおよび評価ユニットは、消火装置バルブのケーシングまたは共通のケーシングに組み込まれており、このケーシングは消火装置バルブに外部で配置されているか、または警報バルブステーションの近傍領域に配置されている。
【００２７】
評価ユニットと一つまたは複数のセンサとの間の信号接続は、選択的にケーブル接続（有線）または無線で実施されている。
【００２８】
好ましい一実施形態で表示ユニットは、数値および／またはテキスト文字を、例えばＬＣＤディスプレイまたはＬＥＤディスプレイの形で再生（表示）するように構成されている。しかしその代わりにまたはそれに加えて、表示部は例えば経済的な構造として単に幾つかのＬＥＤまたは他の発光手段を有することもできる。これらは、点灯または非点灯によりデジタル的に所定の状態を表すように構成されている。ＮＦＣ（Near Field Communication）を介してデータを、近傍領域に存在する携帯機器上に表示させることもできる。
【００２９】
好ましくは評価ユニットは、情報を種々の言語で提供するように構成されている。とりわけ評価ユニットおよび／または表示ユニットには、更新可能なソフトウエアが実装されている。
【００３０】
好ましくは評価ユニットは、時計時間、および／または消火装置バルブ並びに場合により警報バルブステーションの種々のコンポーネントの稼働時間を記録し、提供し、特に好ましくは表示ユニットによって表示するように構成されている。とりわけ評価ユニットは、表示ユニットに対して表示のためのメニューガイドを提供するように構成されており、このメニューガイドによりオペレータは、消火装置の圧力データおよび／または温度データのような状態情報を呼び出すことができる。
【００３１】
とりわけ評価ユニットは、消火装置の警報機能の自動的な検査を実施するように構成されている。好ましくは評価ユニットは、消火装置の検査バルブまたは消火装置バルブを定期的な時間間隔で、例えば毎週、開放し、これにより一つまたは複数のパイプの注水（水の充満、Flutung）をトリガするように構成されている。さらに好ましくは評価ユニットは、注水の際に変化する動作状態を、例えば警報チャネルと流体技術的に接続された圧力センサにおける圧力上昇により検出するように構成されている。さらに警報バルブステーショは、パイプの注水後、警報信号を火災通報センタおよび／または消火制御センタおよび／または表示ユニットに送信するように構成されている。
【００３２】
好ましくは表示ユニットは、消火装置の警報機能の検査結果に関する情報を表示するように構成されている。さらに好ましくは評価ユニットおよび／または表示ユニットは、成功裏に終了した警報検査に関する信号を火災通報センタおよび／または消火制御センタに通知するために形成するように構成されている。
【００３３】
とりわけ表示ユニットはメニューガイドを有しており、該メニューガイドによりオペレータは、消火装置の警報機能の検査を実施するための時間間隔および／またはサービス時点の時間間隔を設定することができる。
【００３４】
さらに好ましくは評価ユニットおよび／または表示ユニットは、一つまたは複数のセンサからのデータおよびその時間経過を記憶するように構成されている。
【００３５】
さらに場合によりバッテリーバッファを組み込むことができ、または不揮発性電子記憶素子を配置することができる。
【００３６】
本発明の警報バルブステーションは、表示ユニットが携帯通信機器として、好ましくは移動無線機として構成されていることによりさらに有利に構成される。例えば移動無線機のような携帯通信機器は、通常はすでに適切なハードウエアおよびソフトウエアを有しており、これは対応の表示機能の実現を、大きな手間とコストおよびハードウエア側の拡張なしで可能にする。サービス要員および保守要員は、例えば移動無線機を規則的に携帯し、この移動無線機は、相応のソフトウエアアプリケーションのインストール後には、ユーザに対して所定の動作状態に関する表示を提供するように構成されている。この実施形態で表示ユニットは、恒久的に警報バルブステーションに配置されるのではなく、オペレータが警報バルブステーションで作業する時にだけ一時的に配置される。
【００３７】
本発明の警報バルブステーションのさらなる好ましい一実施形態で評価ユニットおよび／または表示ユニットは、制御命令を入力するための入力装置を含む。好ましくは入力装置は、感圧性の入力エレメントを有する。とりわけ感圧性の入力エレメントは、プッシュボタン、キーおよび／またはタッチスクリーンとして構成されている。
【００３８】
好ましくは表示ユニットは、評価ユニットと関連して、例えば操作過程の実行時にオペレータをシーケンシャルにガイドするように構成されている。そのために評価ユニットおよび／または表示ユニットには、オペレータにより実行すべき操作指示の順序（シーケンス Abfolge）を保存することができる。その代わりにそれらの順序を消火装置バルブステーションの外部に、好ましくは火災通報センタおよび／または消火制御センタに保存することができ、表示ユニットに表示される情報は必要に応じて「外部から」入力操作（eingespielt）されることができる。
【００３９】
さらに好ましくは表示ユニットは、評価ユニットと関連して、例えばエラー検索の際にオペレータを状況に応じてガイドするように構成されている。そのために評価ユニットおよび／または表示ユニットのソフトウエアにはアルゴリズムを保存することができ、これらのアルゴリズムにより、消火装置バルブステーションに配置されたセンサの信号に依存して表示ユニットにおいて状況に応じた（situative）状態情報および／または操作指示が表示される。
【００４０】
特に好ましい一実施形態では消火装置バルブのケーシングに表示ユニットを可逆的に脱着可能に固定するための固定装置が配置されている。消火装置バルブのケーシングに表示ユニットを可逆的に脱着可能に固定するための固定装置を配置することにより、表示ユニットを定置の機器として消火装置で使用することも、または携帯機器としてユーザにより携帯することもできる。表示ユニットが定置の機器として使用される場合、固定装置は好ましくは、消火装置バルブのケーシングにおいて表示ユニットを頑強で耐衝撃性に構成し保持することを保証する。
【００４１】
好ましくは固定装置は、表示ユニットを消火装置バルブのケーシングにねじ留め、差し込み接続ないしクランプ留めするために、ねじ留め手段、差し込み手段および／またはクランプ手段を含む。とりわけ固定装置はヒンジを有し、このヒンジは固定された表示ユニットの設置角度ないし傾斜を変更するように構成されている。
【００４２】
好ましい一実施形態では遠隔のデータ処理ユニットとの単方向または双方向のデータ交換のためのデータインタフェースが設けられており、データ処理ユニットは例えばコントロールセンタおよび／または火災通報センタおよび／または消火制御センタに配属されている。これによりデータ処理ユニットは、例えばデータインタフェースに提供された状態情報を読み出すことができる。データインタフェースは好ましくはケーブル接続または無線であり、好ましくはＬＡＮ、ＷＬＡＮまたはＴＣＰ／ＩＰ接続として構成されている。
【００４３】
好ましくは表示ユニットと評価ユニットは、データインタフェースによって信号的に接続されている。
【００４４】
その代わりに表示ユニットと評価ユニットは、第２の専用データインタフェースによって信号的に接続されており、この専用データインタフェースは、ＵＳＢインタフェース、ＰＣＩインタフェース、ＰＣＩ−Ｅｘｐｒｅｓｓインタフェース、サンダーボルトインタフェース、ＷＰＡＮインタフェース、とりわけＶＦＩＲ−ＩｒＤＡ、ＩＦＩＲ−ＩｒＤＡ、Ｂｌｕｅｔｏｏｔｈ、またはＮＦＣとして構成されている。
【００４５】
とりわけ好ましくは表示ユニットと評価ユニットは、専用インタフェースによって互いに識別し、好ましくは自動的に信号接続を確立するように構成されている。
【００４６】
好ましくはデータインタフェースは、消火装置バルブおよび／または検査バルブに組み込まれたエレメントに対して動作電圧を供給するように構成されている。データ交換はケーブル接続で、または無線で行うことができる。データインタフェースによって、圧力センサの検出された圧力データ、および／またはデータメモリからの圧力データ、および／または外部に配置されてデータインタフェースと通信する圧力センサの圧力データを、外部のデータ処理ユニット、例えば火災通報センタおよび／または消火制御センタに伝送することができる。これにより、そこに到来する圧力データの信号技術的な処理と評価によって消火装置バルブの機能性を、現場に出向く必要なしに検査することができる。所定の圧力データ経過により、例えば突然の圧力降下により、消火装置バルブないし警報バルブステーションの機能が制限されていることに対する指標が存在する場合だけ、状況に応じて現場に出向くことができる。さらにデータインタフェースによる圧力データの伝送は、付加的な外部の表示手段、好ましくは音響的および／または光学的な警報手段および／またはさらなる（英数字）ディスプレイの、データ処理ユニットによりトリガされる制御を可能とする。
【００４７】
好ましくはデータ処理ユニットは、データインタフェースから読み出された情報を分析し、この分析に依存して以下のイベントの一つ、複数またはすべてをトリガするように構成されている：
・消火バルブが正常に動作しているか否かに関してのメッセージの出力、
・流体パイプ内に十分に高い流体圧が存在するか否かに関してのメッセージの出力、および／または
・消火バルブが開放されたことに関してのメッセージの出力。
【００４８】
圧力センサの代わりにまたはそれに加えて、警報バルブステーションないし消火装置バルブにはさらなるセンサタイプ（異なったタイプのセンサ）が配置されており、それらのデータは評価ユニットによりデータインタフェースを介して通信され、および／または評価ユニットを介して評価され、および／またはデータ処理ユニットを介して処理される。これには好ましくは温度、作動ユニットないし調整ユニット（アクチュエータ）の切替位置、および充填状態を確定するためのセンサが含まれる。圧力センサに対する以下の実施は、相応してさらなるセンサタイプにも当てはまる。
【００４９】
これに関してメッセージとは、以下の非排他的列挙により、好ましくはあらかじめ規定された信号列を備え、並びにさらに好ましくは遠隔伝送のための光学的および／または音響的な信号であると理解され、前記列挙とは、ＳＭＳ、電話音声メッセージまたはＶＯＩＰ音声メッセージ、ＦＡＸメッセージ、Ｅメール、ＩＲＣメッセージ、電子的プッシュプル通報の形のメッセージ、インターネットプロトコルベースのメッセージ、イーサネットプロトコルベースのメッセージ等である。これらのメッセージの内容は好ましくはメッセージデータファイルに記憶される。
【００５０】
本発明のさらなる一形態では、上記のメッセージまたはメッセージデータファイルおよび／または状態情報が、消火装置バルブないし警報バルブステーション自体から送信される。状態情報は好ましくは、消火装置バルブの閉鎖体の阻止状態または解放状態の変化に関する情報／信号、圧力値、または圧力限界値の超過または下回りに関する通報である。そのためにデータメモリは所定のメッセージデータファイルおよび／または少なくとも一つのあらかじめ規定された圧力限界値を有する。圧力センサの検出された圧力値、および好ましくは電子的評価ユニットによる少なくとも一つのあらかじめ規定された圧力限界値との比較に依存して、少なくとも一つのあらかじめ規定された限界値を超過または下回る場合、電子的評価ユニットから、この少なくとも一つのあらかじめ規定された限界値に関連するメッセージデータファイルが、好ましくはデータインタフェースを介して送信される。コンフィギュレーション手段（Konfigurationsmittel）によって、データインタフェースまたは専用コンフィギュレーションインタフェースを介して、データメモリの読み出し、および／または電子的評価ユニットおよび／または表示ユニットに実装されたソフトウエアの更新、および／または少なくとも一つの圧力限界値および／または一つあるいは複数のメッセージデータファイルの変更または入力が実現される。このようなコンフィギュレーションインタフェースは好ましくは、消火装置バルブまたはそのケーシングまたは評価ユニットまたは表示ユニットを有する。とりわけ好ましい一形態でこのコンフィギュレーションインタフェースは、消火装置バルブのケーシングカバーに組み込まれている。
【００５１】
コンフィギュレーション手段として好ましくは、データインタフェースまたはコンフィギュレーションインタフェースと信号的に接続された定置のまたは携帯型のコンピュータ、ハンドヘルド、スマートフォン等が考えられる。コンフィギュレーション手段は、好ましくは、以下の機器の非排他的リストから選択される：ノートブック、タブレット、スマートフォン、プログラミング機器、サービス機器。
【００５２】
データメモリの読み出し、および／または電子的評価ユニットの実装ソフトウエアの更新、および／または少なくとも一つの圧力限界値および／または一つあるいは複数のメッセージデータファイルの変更または入力は、選択的な一形態ではデータインタフェースを介して、好ましくは火災通報センタおよび／または消火制御センタによって行われる。
【００５３】
さらに本発明は、データインタフェースとデータ処理ユニットとが、相互の双方向無線データ交換のために構成されていることによりさらに有利に構成される。双方向無線データ交換は、好ましくはインターネットを介して行われる。
【００５４】
本発明の警報バルブステーションのさらなる好ましい一実施形態では、一つまたは複数の流体パイプにおよび／または警報チャネルに一つまたは複数のさらなるバルブが配置されており、これらのバルブは表示ユニットによって制御可能、とりわけ遠隔制御可能である。
【００５５】
さらに本発明の警報バルブステーションは、一つまたは複数の電磁的駆動部によってさらに構成され、この電磁的駆動部は評価ユニットによって制御可能、とりわけ遠隔制御可能である。
【００５６】
好ましい一形態では、圧力センサは警報チャネルと流体的に接続されている。警報チャネルは、閉鎖体が解放位置に存在すると直ちに、好ましくは流体入口室および／または消火流体供給部と流体的に接続される。警報チャネルは、消火装置バルブが検査バルブを有するような一実施形態では、検査バルブが開放されると直ちに、好ましくは流体入口室および／または消火流体供給部と流体的に接続される。警報チャネルに設けられた検査バルブの閉鎖位置では、下流の領域、すなわち流れ方向で検査バルブの後方では無圧であり、少なくともほとんど、好ましくはまったく消火流体が存在しない。検査バルブが開放された位置では、警報チャネルおよびこれに接続された構成部材、例えば圧力センサに、好ましくは消火装置バルブの流体入口室におけるのと同じ圧力が形成され、このことは警報として評価され、表示される。
【００５７】
さらなる好ましい一形態では、消火装置バルブ、好ましくは湿式警報バルブにおいて、好ましくは電磁的に作動されるバルブ、好ましくは検査バルブが、一方では消火装置バルブの流体出口室と、他方では周囲と流体的に接続されている。検査バルブが閉鎖された位置では、消火装置バルブの閉鎖体が閉鎖されており、消火流体は流れない。検査バルブが開放された位置では、消火流体が流体出口室から周囲に流れる。電磁弁が相応に寸法設定されていれば、消火装置バルブの閉鎖体が開放されるほど大量の体積流が周囲に流れる。好ましくは消火装置バルブは、流体的に閉鎖体と接続された一警報チャネルを有し、この警報チャネルには少なくとも一つの圧力センサが配置されている。この圧力センサは、検査バルブの開放時に警報チャネルに形成される圧力を検出し、この圧力は好ましくは表示ユニットにより警報として表示される。
【００５８】
さらなる好ましい一形態では、消火装置バルブに、好ましくは電磁的に作動されるピストンが配置されており、このピストンは消火装置バルブの閉鎖体を阻止位置に保持する。駆動部が作動されていない場合、ピストンは静止位置（休止位置）に存在し、この静止位置は閉鎖体の開放を機械的にブロックする。電磁的駆動部が作動されると、ピストンがその静止位置から移動され、その際に閉鎖体の運動経路を解放する。駆動部の作動により、消火装置バルブ、好ましくは水噴射バルブの開放を直接的に遠隔制御することができる。
【００５９】
さらに本発明の警報バルブステーションは、一つまたは複数の光学的および／または音響的な警報手段によってさらに構成され、この警報手段は評価ユニットによって制御可能、とりわけ遠隔制御可能である。好ましくは光学的および／または音響的な警報手段は表示ユニットに組み込まれており、または別個の構成部材として警報バルブステーションの近傍領域に配置されている。好ましくは一つまたは複数の光学的な警報手段は、フラッシュライトとして構成されている。さらに好ましくは一つまたは複数の音響的な警報手段は、警報バルブステーションにおける警笛として構成されている。近傍領域とは、本発明との関連で、消火装置バルブの周囲の５ｍまたはそれ以下、好ましくは３ｍまたはそれ以下、さらに好ましくは２ｍ以下、とりわけ１ｍ以下の領域であると理解される。
【００６０】
好ましくは消火装置は、複数の発光手段、とりわけ種々の色のＬＥＤユニットを含む。種々の色の発光手段によって、段階付けした表示コンセプトが実現される。例えば赤色発光手段の点灯は火災が検知されたことを表し、黄色発光手段の点灯は（消火装置に）障害が存在することを表し、緑色発光手段の点灯は火災が検知されず、消火装置の障害も存在しないことを表す。
【００６１】
本発明の消火装置のさらなる好ましい一実施形態では、少なくとも一つの圧力センサがケーシングに組み込まれている。組み込まれているとは、本発明では、圧力センサがバルブのケーシングに、前記の圧力測定を実施できるようにするためにフランジやパイプ接続部等を付加的な流体案内取付部品としてバルブにおいて外側にまたはバルブとはまったく別個に設ける必要がないように、取り付けられている、言い替えればマウントされているまたは格納されていることと理解される。圧力センサの機能をバルブケーシングに組み込むことにより、消火装置に取り付けるべき部材の数が格段に低減される。さらに消火装置バルブのアッセンブリ（Konfektionierung）は好ましくはすでに製造時に、すなわち使用箇所への運送および本来の取り付けの前に完備され、これにより消火装置を使用開始する際にすでに時間的な手間を最小化することができる。
【００６２】
さらに好ましくは本発明の警報バルブを既述の実施形態の一つで使用することにより、ａ）警報バルブの近傍に配置された電気的に駆動される警報手段または表示器と、遠隔に配置された火災通報センタおよび／または消火制御センタとの間、およびｂ）警報バルブの近傍に配置された圧力センサと、遠隔に配置された火災通報センサおよび／または消火制御センタとの間での電気接続線路を省略することができる。
【００６３】
圧力センサは好ましくは、流体入口室内の圧力を検出するように構成されている。一実施形態で圧力センサは、ある程度デジタル的に限界値の到達ないし超過／下回りを記録する圧力スイッチの形であるのが好ましい。圧力スイッチの選択または圧力スイッチの所定の調整により圧力限界値が予設定される。圧力スイッチは、圧力データとして切替圧が印加されたか否か（１／０）の情報を送出する。特に好ましくは圧力測定記録器は、実際に印加される圧力を検出し、相応の変換手段により離散的信号値として出力することができる。好ましい実施形態で圧力センサは一般的に公知のように、そのために必要な変換器、増幅器、マイクロコントローラ等を有することができる。
【００６４】
さらに好ましくは圧力センサは、流体出口室および／または流体入口室内の圧力を検出するように構成されている。圧力を流体入口室においても流体出口室においても検出すべき場合、第１の圧力センサと第２の圧力センサを設け、両者ともがケーシングに組み込まれており、両者のうちそれぞれ一つの圧力センサが流体入口室または流体出口室内で作用するように配置されると有利である。
【００６５】
特に好ましい一実施形態では圧力センサは、警報チャネル内の圧力を検出するように構成されている。
【００６６】
圧力センサないし圧力センサの測定ヘッドの配置は、ここでは選択的に直接的に、流体入口室内、流体出口室内、またはバルブに組み込まれた警報チャネル内で行うことができる。警報チャネルは好ましくは、閉鎖体の阻止位置では、バルブの流体室から流体密に分離されている。警報チャネル内は好ましくは周囲圧である。閉鎖体が阻止位置から解放位置に移動して初めて警報チャネルは、隣接する同様に接続された流体室と連通する。
【００６７】
さらなる好ましい一実施形態で圧力センサは、検出された圧力データを出力するために、および／または検出された圧力データに依存して求められた情報を出力するために表示ユニットおよび／または評価ユニットと接続されている。本発明の警報バルブをこの実施形態で使用することにより、警報バルブの近傍で特定の動作状態に関する表示をユーザに提供することができ、これらの表示は純粋な圧力情報以外にも例えば推奨事項／指示事項を明快なテキストで示す。
【００６８】
好ましい一実施形態では、好ましくは圧力スイッチとして構成された圧力センサは、別個の構成部材として警報バルブの外部に、好ましくは警報チャネルの内部に、および／または警報チャネルと流体技術的に接続されたパイプに形成されている。とりわけさらなる表示ユニットが圧力センサに固定されており、またはこれに組み込まれている。特に好ましい一実施形態でさらなる表示ユニットは、固定装置によって圧力センサに可逆的に脱着可能に固定されている。
【００６９】
さらなる好ましい一実施形態で圧力センサは、検出された圧力データを保存するためにデータメモリと接続されている。これにより、それぞれ現在の圧力値が単に検出されるだけでなく、圧力値経過の履歴を検出し、後での評価のために提供することができる。
【００７０】
さらなる有利な一実施形態では、圧力センサおよび／またはデータメモリおよび／または一つないし複数の外部の圧力センサは、検出された圧力データを読み出し、遠隔伝送するためにデータインタフェースと接続されている。データインタフェースは好ましくは、データ通信のための一つまたは複数のコネクタを含む。
【００７１】
電子的評価ユニットは好ましくは、データの受信のために、および／またはバルブの状態情報の伝送のために、以下のエレメントの一つ、複数またはすべてと接続されている：少なくとも一つの圧力センサ、データインタフェース、データメモリ、一つまたは複数の外部の圧力センサ。データの受信は、センサ、好ましくは圧力センサ、および／またはデータメモリ、および／またはデータインタフェースからが特に考慮される。データの伝送は、とりわけ表示ユニットおよび／またはデータインタフェースの方向で行われる。状態情報とはとりわけ、圧力センサおよび／またはデータメモリから受信された圧力データ、および場合により電子的評価ユニットが受信されたデータに基づいて行ったデータ処理結果でもある。バルブをデータインタフェースによって一般的にネットワーク化するために、およびとりわけ設置場所を通知するために、好ましくはいわゆるアドレシングモジュール（Adressierungsmodul）が電子的評価ユニットに設けられている。データインタフェースが例えばリングバスとして構成されている場合、電子的評価ユニットはアドレシングモジュールにより、圧力データに関する情報に加えて、ないしその情報と共に、設置場所のようなさらなる情報を出力することができる。
【００７２】
アドレシングモジュールは、好ましくは差込可能および／または交換可能に構成されており、信号線路を介して中央制御ユニット、例えば火災通報センタおよび／または消火制御センタのリングバス加入者モジュールと接続されている。これによりアドレシングモジュールは、好ましくはリングバス線路として構成された信号線路上でアドレシング可能な加入者である。好ましくはアドレシングモジュールのアドレスは調整可能である。アドレシングモジュールは、データをリングバスを介して送信する。好ましい一形態では、検出された圧力値または検出された圧力の変化、または圧力変化ないし障害の発生がデータ伝送プロトコルによってリングバス加入者モジュールに伝送される。
【００７３】
信号線路は、有利な一形態では閉じたリングバス線路として構成されている。このことの利点は、この信号線路が遮断された場合、例えばワイヤ断線の場合、エネルギー供給およびアドレシング可能な加入者との通信が、元のリングの両側からリングバス加入者モジュールを介して保証されることである。さらなる有利な一形態では、この信号線路はアドレシング可能な加入者に対するスタブ線路（Stichleitung）として敷設されている。
【００７４】
電子的評価ユニットは好ましくは、圧力センサおよび／またはデータメモリおよび／または一つないし複数の外部の圧力センサから得られた圧力データをあらかじめ規定された限界値と比較し、これらの限界値に到達ないし超過または下回る際に、状態定義として代表する信号を伝送するように構成されている。
【００７５】
特に好ましくは以下のエレメントの一つ、複数またはすべてが消火装置バルブのケーシングまたは表示ユニットのケーシングに組み込まれている：データインタフェース、データメモリ、電子的評価ユニット。
【００７６】
本発明のさらなる好ましい一構成では、消火装置バルブのケーシングは、ケーシングカバー、好ましくはハンドホールカバー（Handlochdeckel）を有し、とりわけ以下のエレメントの一つ、複数またはすべてがケーシングカバーに組み込まれている：圧力センサ、データインタフェース、データメモリ、電子的評価ユニット。これにより機能多様性を妥協する必要なしに、消火装置バルブの一つのシリーズの構成部材多様性を低減することができる。提供されたすべての機能性に対して相応の切欠部（凹部）を有する汎用のケーシング体と、様々にアセンブリングされたケーシングカバーを作製することができる。機能性（要素）がそこに組み込まれたそれぞれのケーシングカバーを汎用のケーシング体に割り当てることにより、消火装置バルブのそれぞれ異なる機能性（要素）がまとめられる。この本発明によるモジュールシステムによりさらに、既存の消火装置においてケーシングカバーを交換することにより後から付加的な機能を追加し、または実際には必要ない機能を撤廃することができる。このことすべては、それぞれ多大な手間と費用および密閉性不良の可能性を伴うであろう、既存の消火装置における取付部品の除去、または後からの組み付けを必要とすることなく達成される。例えばハンドホールカバーとしての実施形態でケーシングカバーは、好ましくは公知であり実績のある密閉機構（シーリング機構）を有し、これにより信頼性のある使用が可能である。
【００７７】
好ましい一実施形態では、表示ユニットは消火装置バルブのケーシングカバーに組み込まれている。その代わりに表示ユニットは、好ましくは旋回機構により消火装置バルブに、例えばケーシング、とりわけケーシングカバーに取り付けられる。その代わりに表示ユニットは、バルブのケーシングに対して外部で圧力スイッチに配置されている。
【００７８】
さらなる好ましい一実施形態で表示ユニットは、可逆的に着脱可能に警報バルブと、例えばケーシングカバーへの組み込みによって接続されており、電子的評価ユニットへの信号伝送接続部を有する。この接続部は、表示ユニットを警報バルブに組み立てる際に自動的に接続状態にされ、表示ユニットを警報バルブから分離する際に自動的に分離される。好ましくは警報バルブには接点が配置されており、これらの接点は、組み立てられた状態で表示ユニットに対応して配置された接点と接続されており、表示ユニットが警報バルブから分離されると直ちに、表示ユニットに対応して配置された接点から分離される。
【００７９】
さらなる好ましい一実施形態で表示ユニットおよび／または評価ユニットは、警報バルブステーションに空間的に組み込まれている。すなわち消火装置バルブに空間的に直接割り当てられている。ここで特徴的なのは、表示ユニットおよび／または評価ユニットは、個々の消火装置バルブステーションに割り当てられており、この割り当ては好ましくは、表示ユニットおよび／または評価ユニットのケーシングを消火装置バルブに、またはその入口側または出口側の消火流体パイプに配置することにより行われる。
【００８０】
好ましくは評価ユニットは、障害を表示する信号を形成し、表示ユニットが評価ユニットから分離されると直ちに、データメモリにまたはデータインタフェースに提供するよう構成されている。
【００８１】
さらなる好ましい一実施形態で表示ユニットは、外部データ源との少なくとも入力される好ましくは双方向のデータ通信のために専用データインタフェースを有する。外部データ源は好ましくは、火災通報センタまたは消火制御センタである。
【００８２】
さらなる好ましい一実施形態で評価ユニットは、消火装置バルブのあらかじめ定めた所定の状態を消火装置バルブの状態情報に依存して識別し、識別された状態への応答として当該状態に適切な操作推奨事項（Handlungsempfehlung）を表示するために表示ユニットを制御するように構成されている。操作推奨事項は例えば、過度に低い圧力値が一つまたは複数の圧力センサから通知された場合における「圧力が低すぎる」および／または「圧力形成器を始動」のメッセージの表示である。さらに操作推奨事項は例えば、警報状態が識別された際の「消火エリアＸでの火災」および／または「建物Ｙから退去せよ」である。
【００８３】
ケーシングカバーは、とりわけハンドホールカバーとしての実施形態では、一時的な分離により、好ましくは流体入口室および／または流体出口室へのアクセス、並びに特に有利には閉鎖体（可動弁体）へのアクセスを可能にする。圧力センサをケーシングカバーに組み込む場合、好ましくは圧力センサに対して、または複数の圧力センサがある場合には各圧力センサに対して、対応の流体パイプチャネルが切欠部の形で設けられ、これらの切欠部の中に圧力センサをそれぞれ敷設することができる。例えばＡ／Ｄ変換器、並びに任意選択で増幅器、マイクロコントローラ等が組み込まれたセンサを使用することができる。または同様にケーシングカバーに組み込まれたＡ／Ｄ変換器に接続されたセンサを使用することができる。比較的簡単なセンサ形式は例えば圧力スイッチであり、同じようにケーシングカバーに格納することができる。同じことが、その他の前記組込エレメントに対しても当てはまる。
【００８４】
消火装置バルブは好ましくは、湿式警報バルブまたは乾式警報バルブまたは水噴射バルブである。これは、これらの警報バルブ形式ないしそれらの組み合わせの「特別構造形態」も含み、これらはパイロット制御される乾式装置として公知である。それぞれこのように構成されたバルブは、専門的には通常のさらなる技術手段を有するが、これらの技術手段はここでは簡明的確な説明のため省略するものとする。前記バルブ形式は、動作時に圧力レベルが種々のバルブ室においてどのように変化するかという形式においてまず第一に異なる。湿式警報バルブの動作時には、例えば消火流体で満たされた流体出口室内では、スプリンクラーノズルが閉鎖されている場合、所定の流体圧ｐ２が発生する。一方、流体入口室内は圧力ｐ１である。これらの圧力ｐ１とｐ２は近似的に同じまたは同じであって良く、好ましくは１ｂａｒから２５ｂａｒの範囲にある。スプリンクラーノズルが開放すると直ちに、流体出口室内の圧力ｐ２が降下する。圧力ｐ２と流体入口室内の圧力ｐ１との間で所定の圧力降下に達すると、または超過すると、バルブの閉鎖体が時間的遅延をもって開放し、これにより流体入口室内の圧力ｐ１が変化する。それまで静的であった圧力はバルブの開放直後にまず低下し、流動圧（Fliessdruck）として規定された新たな圧力ｐ３が徐々に生じる。閉鎖体の阻止位置では周囲圧である警報チャネルをバルブが有する場合、この警報チャネルでは解放位置へのバルブの開放により圧力上昇が記録されることになる。
【００８５】
乾式警報バルブの場合、流体出口室（閉鎖体の下流側）には過圧下のガスが充填されており、好ましくはｐ２は０．８ｂａｒから４ｂａｒである。流体入口室には好ましくは水が満たされており、ｐ１は１ｂａｒから約２５ｂａｒの範囲である。圧力の記述はそれぞれ周囲圧に対して相対的なものである。閉鎖体の阻止位置では周囲圧である警報チャネルをバルブが有する場合、この警報チャネルでは解放位置へのバルブの開放により圧力上昇が記録されることになる。
【００８６】
好ましくは消火装置バルブは、バルブに組み込まれた３つまでの圧力センサを有し、当該圧力センサはそれぞれ、流体入口室、流体出口室および／または警報チャネル内の圧力を監視する。
【００８７】
湿式警報バルブは、例えばＥＮ１２２５９−２（ＤＩＮ）に記載されており、乾式警報バルブはＥＮ１２２５９−３に、水噴射バルブはｐｒＥＮ１２２５９−９に記載されている。さらにこれらのバルブ形式は、ＶｄＳ損害防止協会（VdS Schadenverhuetung）、ケルン、またはＦＭグローバル、ウエストグロスター、またはＵＬ、ノースブルックのような私的機関の検査許可仕様書に記載されている。
【００８８】
さらなる好ましい一形態で一つまたは複数のセンサは、一つまたは複数の、好ましくはケーシングに組み込まれた圧力センサを含む。
【００８９】
さらに本発明の警報バルブステーションは、一つまたは複数の温度センサによってさらに構成され、これらのセンサは、消火装置バルブ内の流体温度、または警報バルブステーションのさらなるコンポーネントの一つないし複数のコンポーネント内の流体温度、および／または周囲温度を検出するように構成されている。好ましくは一つまたは複数の温度センサは、検出された温度データを出力するために表示ユニットと信号的に接続されている。評価ユニットおよび／または表示ユニットは、好ましくは時間検出のための装置を有する。一つまたは複数の温度センサは、好ましくは評価ユニットを介して表示ユニットおよび／または評価ユニットと信号的に接続されている。
【００９０】
本発明の警報バルブステーションの特に好ましい一実施形態は、水の硬度を検出するために、および／または通流速度を検出するために一つまたは複数の内部測定装置を有する。好ましくは本発明の警報バルブステーションは、水のｐｈ値および／または導電率を検出するために一つまたは複数の内部測定装置を有する。好ましくは本発明の警報バルブステーションは、乾燥管内の水位を検出するために一つまたは複数の内部測定装置を有し、これらの内部測定装置により、乾燥管を空にしなければならないか否かを確定することができる。
【００９１】
好ましくは本発明の警報バルブステーションは、ケーシングカバーの開放を検知するために一つまたは複数の内部測定装置を有する。これにより、実行されたケーシングの開放を記録することができる。一つまたは複数の内部測定装置は好ましくは、検出された測定データを出力するために表示ユニットと信号的に接続されている。一つまたは複数の内部測定装置は、好ましくは評価ユニットを介して表示ユニットと信号的に接続されている。
【００９２】
本発明はその基礎とする課題を、冒頭に述べた形式の消火装置において、当該消火装置が前記実施形態の一つにしたがって構成されていることにより解決する。これにより得られる利点に関しては、上記の実施形態が参照される。
【００９３】
ここに記述する警報バルブステーションの好ましい実施形態ないし発展形態は、同時に消火装置の好ましい実施形態でもある。ここに記述する消火装置の好ましい実施形態ないし発展形態は、同時に警報バルブステーションの好ましい実施形態でもある。
【００９４】
本発明を以下、添付図面を参照し、好ましい実施例に基づいて詳細に説明する。
【図面の簡単な説明】
【００９５】
【図１】警報バルブステーションを含む本発明の一消火装置の一実施例の概略図である。
【図２ａ】本発明の消火装置の一消火装置バルブに対する一ケーシングカバーの概略図である。
【図２ｂ】本発明の消火装置の一消火装置バルブに対する一ケーシングカバーの概略図である。
【図３】本発明の一消火装置の一実施例の概略図である。
【図４】本発明の一消火装置のさらなる一実施例の概略図である。
【図５】図４の消火装置を上から見た平面図である。
【図６】本発明の消火装置の一消火装置バルブの概略図である。
【図７】本発明の消火装置の一圧力センサの概略図である。
【実施例】
【００９６】
図１による消火装置１００はスプリンクラー消火装置として構成されており、一つの消火装置バルブ１、複数の流体パイプ１１および一つの表示ユニット４０を有する。消火装置バルブ１と表示ユニット４０は、一つの警報バルブステーション８０の構成部分である。
【００９７】
流体パイプ１１の阻止（遮断）と解放のための消火装置バルブ１はケーシング２、３を含み、このケーシングは、流体入口室８、流体出口室９、および阻止状態と解放状態との間で往復運動可能な閉鎖体（可動弁体）４ａを有する。往復は、並進的運動形態だけでなく、回転的運動形態および他の運動形態も含む。流体入口室８と流体出口室９は、阻止状態では互いに分離されており、解放状態では流体的に互いに連通している。ケーシング２にはバルブシート４ｂと接続された警報チャネル５が組み込まれており、この警報チャネル内には圧力センサ６が作用するように配置されている。圧力センサ６は、ケーシング２のケーシングカバー３に組み込まれている。信号的接続部を介してデータインタフェース１０は外部に案内されており、外部からケーシングカバー３において読み取ることができる。
【００９８】
消火装置バルブ１は流体パイプ１１内に配置されており、この流体パイプは、消火流体を複数のスプリンクラーノズル１２に導くように構成されている。
【００９９】
さらに警報バルブステーション８０、好ましくは消火装置バルブ１は電子的評価ユニット５０を有し、この評価ユニットは、データを受信するために、およびバルブ１の状態情報および／または行動指示を通知するために表示ユニット４０と信号的に接続されている。
【０１００】
閉鎖体４ａは、図示の実施例では固有のアクチュエータを備えない湿式警報バルブステーションの形式に構成されているが、任意選択でそのような（図示しない）アクチュエータを制御駆動部として有することができる。その場合、電子的評価ユニット５０は、閉鎖体４ａを制御駆動部によって選択的に解放位置または阻止位置にもたらすように構成されている。
【０１０１】
表示ユニット４０は、所定の動作状態に関する表示をユーザに提供し、および／またはユーザに指示するように構成されている。表示ユニット４０は、数値、テキスト文字、グラフィックおよび画像を再生（表示）するように構成されている。表示ユニット４０は、ＬＣＤディスプレイ４１を含み、携帯型移動無線機として構成されている。さらに表示ユニット４０は、制御命令および情報を入力するために入力装置４３を含み、入力装置４３は感圧性の入力エレメントを有する。感圧性の入力エレメントはプッシュボタンである。
【０１０２】
さらに消火装置バルブ１は温度センサ７０を有し、この温度センサは、消火装置バルブ１内部の流体温度を検出するように構成されている。温度センサ７０は、検出された温度データを出力するために評価ユニット５０を介して表示ユニット４０と信号的に接続されている。
【０１０３】
さらに消火装置１００は２つの内部測定装置２１（２１ａ、２１ｂ）を有する。第１の内部測定装置２１ａは水の硬度を検出するように、第２の内部測定装置２１ｂは通流速度を検出するように構成されている。内部測定装置２１は、検出された測定データを状態情報として出力するために評価ユニット５０を介して表示ユニット４０と信号的に接続されている。
【０１０４】
ケーシングカバー３はケーシング２の構成部分であり、これと流体密にねじ留めされている。
【０１０５】
ケーシング２の内部では閉鎖体４ａがバルブシート４ｂ上に配置されており、パッキン７が流体入口室８と流体出口室９を警報チャネル５に対して流体密に分離する。
【０１０６】
図１とは異なり図２ａと図２ｂでは、表示ユニット４０と評価ユニット５０がケーシング２のケーシングカバー３に組み込まれている。ケーシングカバー３はハンドホールカバーとして構成されている。図示の実施例でケーシングカバー３は、透明カバーの設けられた切欠部１３を有し、該切欠部は、ケーシングカバー３の組み立て状態でケーシング２とは反対の側で切り取られている（切欠凹所を形成する）。切欠部１３には第１と第２の圧力センサ６が配置されており、これらはそれぞれ流体パイプ１４ａ、ｂを介して冗長的システムとして流体ポート１５と接続されている。流体ポート１５は、ケーシングカバー３がケーシング２上に組み立てられるとこれが警報チャネル５と流体的に接続されるように配置されている。分かり易くするために、閉鎖体４ａが閉鎖された際に警報チャネルを自動的に空にするための排出装置の図示は省略されている。ここに示した態様の代わりに、複数の圧力センサを種々の流体ポートと接続することもできる。ここで各流体ポートは、警報バルブの種々の箇所に存在する種々の圧力を同時に測定できるようにするためにケーシングの別の流体室と流体的に接続される。
【０１０７】
圧力センサ６は、評価ユニット５０とそれぞれ信号的に接続されている。圧力センサ６と評価ユニット５０は、評価ユニット５０が圧力センサ６から出力された圧力データを検出し、処理することができるように互いに通信的に接続されている。評価ユニット５０は、データメモリ１６とデータ的に（データを伝送するように）接続されており、データ処理結果をデータメモリ１６に保存し、および／またはデータメモリに保存されたデータ、とりわけ圧力センサ６の圧力データを読み出し、処理するように構成されている。
【０１０８】
データメモリ１６は、圧力センサ６から得られた圧力データを記憶するために任意選択で、その代わりにまたはそれに加えて圧力センサ６とデータ的に直接接続されている。
【０１０９】
評価ユニット５０は、任意選択で、その代わりにまたはそれ加えて表示ユニット４０とデータ的に接続されており、呼び出し可能な情報、とりわけ消火装置バルブ１の状態情報を表示ユニット４０に供給するように構成されている。
【０１１０】
圧力センサ、評価ユニット５０、データメモリ１６、および表示ユニット４０並びにデータインタフェース１０の間の種々の可能なデータ接続が図２ａに実線によって例示されている。
【０１１１】
データメモリ１６、表示ユニット４０、電子的評価ユニット５０、圧力センサ６およびデータインタフェース１０は、機能的に独立のユニットであり、これらは、例として示した実施形態の代わりに、ケーシング２内またはケーシングカバー３内にある複数の別個の切欠部あるいは受け部に組み込むこともできる。顧客により希望される消火装置バルブの機能内容に応じて、好ましい実施形態では、図示のエレメントのすべてではなく、幾つかのエレメントだけが、またはこれらエレメントのサブコンビネーションだけがケーシングまたはケーシングカバーに組み込まれている。
【０１１２】
データインタフェース１０は、データ遠隔伝送手段ごとにデータ処理ユニット２０と接続されている。データ処理ユニットは、データインタフェース１０から読み込まれた情報を処理し、および／または例えば外部の表示手段３０にさらに伝送し、および／またはどのような状態情報をデータインタフェース１０が提供するかに依存して警報通報の形で出力するように構成されている。
【０１１３】
ここに示したようにケーシングカバーに組み込む代わりに、図２ａと図２ｂに示された組み込みエレメントの一つ、複数またはすべてを消火装置バルブ１のケーシング２の別の領域に組み込むことができ、または例えば中間フランジに組み込むこともでき、この中間フランジはメインケーシング２とケーシングカバー３との間に装着される。基本的機能は、好ましくはここに示した実施例と同じである。
【０１１４】
図３には消火装置１００が概略的に示されている。消火装置１００は、これが消火装置バルブ１ａ、ｂ、ｃにそれぞれ設けられたデータインタフェース１０ａ、ｂ、ｃとデータ的に通信し、これらから提供された状態情報を呼び出すことにより、複数の消火装置バルブ１ａ、ｂ、ｃを監視する。呼び出された状態情報はデータ処理ユニット２０で処理され、例えば外部の表示手段３０にさらに伝送されるか、または消火装置バルブ１ａ、ｂ、ｃにフィードバックされ、そこで内部の表示ユニット４０で再生（表示）される。任意選択でデータ処理ユニット２０は、消火装置バルブ１ａ、ｂ、ｃを対応の制御命令により制御し、例えばバルブの閉鎖体を阻止（遮断）または解放するように構成されている。
【０１１５】
消火装置バルブ１ａ、ｂ、ｃは、動作時に、流体入口室および／または流体出口室および／または警報チャネルにおいて圧力の少なくとも一つが恒久的に監視されるように動作する。電子的評価ユニット５０またはデータ処理ユニット２０により、このようにして得られた圧力データは処理され、とりわけ所定の限界値と比較される。圧力データ、および／または目標圧力経過からの偏差、または所定の限界値の超過ないし下回りは、例えば消火装置バルブのデータメモリ１６またはデータ処理ユニット２０での図示しないデータメモリに記録される。例えば閉鎖体が阻止位置に存在すると通報されるにもかかわらず、圧力が流体入口室で降下する場合、データ処理ユニットまたは評価ユニットは好ましくは、相応のエラー信号（Fehlersignal）を出力するように構成されている。例えば作動準備状態では大気圧下にある警報チャネルの圧力が警報バルブの開放により上昇する場合、データ処理ユニットまたは評価ユニットは好ましくは、相応の警報信号を出力するように構成されている。
【０１１６】
スプリンクラーノズルの作動後のように、例えば流体出口室内の圧力が所定の限界値を下回り、該限界値の下側では閉鎖体が解放しているべきであるが、閉鎖体が解放位置にあるとのバルブの通報があるにもかかわらず、流体入口領域および／または警報チャネルにおいて圧力変化が生じない場合には、データ処理ユニットは好ましくは、そのために、予測される障害に対して対応する信号を出力するようにも構成されている。
【０１１７】
同じようにして消火装置バルブの内部における連続的圧力監視により、漏れの発生またはその他の機能障害を遠隔から検知することができる。その場合、手作業による保守介入を、目的どおりに開始することができる。これは、消火装置バルブの状態情報においてその設置場所および構造形式が共に通知され、明快なテキスト表示が存在する場合には、尚更該当する。このことは保守要員への指示を簡素化する。
【０１１８】
図４と図５によれば、湿式警報バルブとして構成された消火装置バルブ１のケーシング２、３に、表示ユニット４０を可逆的に脱着可能に固定するための固定装置４５が配置されている。表示ユニット４０は、制御命令を入力するための入力装置４３を含み、入力装置４３は、プッシュボタンとして構成された感圧性の入力エレメントを有する。電子的評価ユニット５０は表示ユニット４０に組み込まれている。評価ユニット５０は表示ユニットと共に、消火装置バルブ１に外部で配置された一体的ユニットを構成する。
【０１１９】
表示ユニット４０は、ディスプレイ４１と、色の異なる３つのＬＥＤユニットを有する。３つのＬＥＤユニットによって、段階付けられた表示コンセプトが実現される。赤色ＬＥＤユニットの点灯は火災が検知されたことを表し、黄色ＬＥＤユニットの点灯は障害が存在することを表し、緑色ＬＥＤユニットの点灯は火災が検知されず、消火装置の障害も存在しないことを表す。
【０１２０】
固定装置４５は、表示ユニット４０を消火装置バルブ１のケーシング２に可逆的に脱着可能に差し込むために差込手段を含む。固定装置４５はさらにヒンジを有し、このヒンジは、固定された表示ユニット４０の設置角度ないし傾斜を変更するように構成されている。
【０１２１】
消火装置バルブ１の流体入口室と流体出口室９の間には調整パイプ（均圧パイプ）が延在しており、この調整パイプによって流体入口室と流体出口室９との間で流体的な接続を、閉鎖体を迂回して形成することができる。調整パイプに沿って遮断コックを備える２つのバルブ１９ａ、１９ｂ、２つの圧力計１８ａ、１８ｂおよび符号の付されていないチェックバルブ（逆止弁）が配置されている。
【０１２２】
図４と図５では外部パイプとして延長された警報チャネル５が消火装置バルブ１を、検査バルブ１７を介して、圧力スイッチとして構成された圧力センサ（図示せず）と接続する。動作時に、スプリンクラーノズルが閉じられていることにより消火流体の満たされた流体出口室９内には、所定の流体圧ｐ２が発生し、一方、流体入口室内は圧力ｐ１である。これらの圧力ｐ１とｐ２は近似的に同じまたは同じであって良く、好ましくは１ｂａｒから２５ｂａｒの範囲にある。スプリンクラーノズルが開放すると直ちに、流体出口室９内の圧力ｐ２が降下する。流体入口室において圧力ｐ２と圧力ｐ１との間で所定の圧力降下に達すると、または超過すると、バルブ１の閉鎖体が時間的遅延をもって開放し、これにより流体入口室内の圧力ｐ１が変化する。以前は静的であった圧力はバルブの開放直後にまず低下し、流動圧（Fliessdruck）として規定される新たな圧力ｐ３が徐々に生じる。警報チャネルではバルブ１の開放時に同様に圧力変化が生じ、この圧力変化は圧力センサにより検知される。圧力センサからの信号により圧力変化が検知されると、相応の警報信号が例えば火災通報センタおよび／または消火制御センタに向けてトリガされる。
【０１２３】
図６によれば表示ユニット４０はディスプレイ４１も含めて消火装置バルブ１のケーシングカバー３に組み込まれている。消火装置バルブ１の流体入口室は、外部パイプとして延長された警報チャネル５と流体的に接続されている。警報チャネル５はさらに圧力スイッチとして構成された圧力センサ６と接続されている。この圧力センサは、警報チャネル５における圧力変化を検知し、その圧力変化は警報信号を引き起こし、これはさらに警報手段２２を作動させる。警報手段２２は、光学的通報器、例えばフラッシュライト、または音響的通報器、例えば警笛とすることができる。
【０１２４】
その代わりにまたはそれに加えて、本発明の警報バルブステーションのさらなる複数のコンポーネントは表示ユニット４０を有することができる。図７に示すように、例えば別個の構成部材として、好ましくは圧力スイッチとして構成された圧力センサ６も表示ユニット４０を有することができる。表示ユニット４０は圧力センサ６に固定されている。図示の実施形態で表示ユニット４０は、固定装置によって可逆的に脱着可能に圧力センサ６に固定されている。
【符号の説明】
【０１２５】
１、１ａ、ｂ、ｃ      消火装置バルブ
２                    ケーシング
３                    ケーシングカバー
４ａ                  閉鎖体（可動弁体）
４ｂ                  バルブシート
５                    警報チャネル
６                    圧力センサ
７                    パッキン
８                    流体入口室
９                    流体出口室
１０、１０ａ、ｂ、ｃ  データインタフェース
１１                  流体パイプ
１２                  スプリンクラーノズル
１３                  切欠部
１４ａ、ｂ            流体パイプ
１５                  流体ポート
１６                  データメモリ
１７                  検査バルブ
１８ａ、１８ｂ        圧力計
１９ａ、１９ｂ        遮断コックを備えるバルブ
２０                  データ処理ユニット
２１                  内部測定装置
２２                  警報手段
３０                  表示手段
４０                  表示ユニット
４１                  ディスプレイ
４３                  入力装置
４４                  ＬＥＤユニット
４５                  固定装置
５０                  評価ユニット
７０                  温度センサ
８０                  警報バルブステーション
１００                消火装置
【図１】
2018508713.tif 000003
【図２ａ−２ｂ】
2018508713.tif 000004
【図３】
2018508713.tif 000005
【図４】
2018508713.tif 000006
【図５】
2018508713.tif 000007
【図６】
2018508713.tif 000008
【図７】
2018508713.tif 000009
【手続補正書】
【提出日】平成29年8月15日(2017.8.15)
【手続補正１】
【補正対象書類名】特許請求の範囲
【補正対象項目名】全文
【補正方法】変更
【補正の内容】
【特許請求の範囲】
【請求項１】
消火装置（１００）の警報バルブステーション（８０）であって、
消火装置バルブ（１）とケーシング（２、３）を備え、前記ケーシング（２、３）は、流体入口室（８）、流体出口室（９）、および阻止状態と解放状態との間で往復運動可能な閉鎖体（４ａ）を有し、前記流体入口室（８）と前記流体出口室（９）は、阻止状態では互いに分離されており、解放状態では流体的に互いに連通しており、
さらに電子的評価ユニット（５０）を備え、前記評価ユニット（５０）は、前記ケーシング（２、３）に組み込まれているか、前記ケーシング（２、３）に外部で配置されているか、または前記消火装置バルブ（１）の近傍領域に配置されているという警報バルブステーションであり、
前記評価ユニット（５０）は、
−  一つ以上のアクチュエータと信号的に接続されており、
−  一つ以上の前記アクチュエータを制御命令によって制御するように構成されており、
前記警報バルブステーション（８０）は、一つ以上のセンサを有し、前記評価ユニット（５０）は、一つ以上の前記センサと信号的に接続されており、前記評価ユニット（５０）のために存在するセンサデータに依存して一つ以上の前記アクチュエータを制御するように構成されていること
を特徴とする警報バルブステーション。
【請求項２】
前記評価ユニット（５０）は、データインタフェース（１０）を有し、前記データインタフェース（１０）により制御命令を受信するように構成されており、かつ一つ以上の前記アクチュエータを受信された制御命令によって制御するように構成されていること
を特徴とする、請求項１に記載の警報バルブステーション。
【請求項３】
前記閉鎖体（４ａ）は、制御駆動部としてのアクチュエータを有し、前記電子的評価ユニット（５０）は、前記閉鎖体（４ａ）を前記制御駆動部によって選択的に解放位置または阻止位置にもたらすように構成されていること
を特徴とする、請求項１または２に記載の警報バルブステーション。
【請求項４】
前記閉鎖体（４ａ）は、パイロット制御駆動部としてのアクチュエータを有し、前記電子的評価ユニット（５０）は、前記閉鎖体（４ａ）を前記パイロット制御駆動部によってロックまたはロック解除するように構成されていること
を特徴とする、請求項１から３のいずれか一項に記載の警報バルブステーション。
【請求項５】
前記警報バルブステーション（８０）は、警報チャネル（５）と、前記警報チャネル（５）に注水するための検査バルブ（１７）とを有し、前記検査バルブ（１７）は、制御駆動部としてのアクチュエータを有し、前記電子的評価ユニット（５０）は、前記検査バルブ（１７）を前記制御駆動部によって選択的に解放位置または阻止位置にもたらすように構成されていること
を特徴とする、請求項１から４のいずれか一項に記載の警報バルブステーション。
【請求項６】
一つ以上のセンサを備え、
前記評価ユニット（５０）は、データを受信するために一つ以上の前記センサと信号的に接続されており、
−  状態情報、または
−  操作指示
のうちの少なくとも一つについてデータ処理するように構成されており、かつ前記状態情報および／または前記操作指示を表示ユニット（４０）に伝送するように構成されていること
を特徴とする、請求項１から５のいずれか一項に記載の警報バルブステーション。
【請求項７】
前記状態情報および／または前記操作指示を前記評価ユニット（５０）から受信し、表示するように構成された、表示ユニット（４０）を有すること
を特徴とする、請求項１から６のいずれか一項に記載の警報バルブステーション。
【請求項８】
前記表示ユニット（４０）は、前記ケーシング（２、３）に組み込まれていること
を特徴とする、請求項６に記載の警報バルブステーション。
【請求項９】
前記表示ユニット（４０）は、前記ケーシング（２、３）に外部で配置されているか、または前記警報バルブステーション（８０）の近傍領域に配置されていること
を特徴とする、請求項６に記載の警報バルブステーション。
【請求項１０】
前記表示ユニット（４０）は、数値および／またはテキスト文字を表示するように構成されており、前記表示ユニット（４０）は、ディスプレイ、あるいはＬＣＤディスプレイまたはＬＥＤディスプレイ（４１）を含むこと
を特徴とする、請求項６から９のいずれか一項に記載の警報バルブステーション。
【請求項１１】
前記表示ユニット（４０）は、携帯通信機器として、または移動無線機として、構成されていること
を特徴とする、請求項６から１０のいずれか一項に記載の警報バルブステーション。
【請求項１２】
前記評価ユニット（５０）および／または前記表示ユニット（４０）は、制御命令を入力するための入力装置（４３）を含むこと
を特徴とする、請求項６から１１のいずれか一項に記載の警報バルブステーション。
【請求項１３】
前記入力装置（４３）は、感圧性の入力エレメントを有すること
を特徴とする、請求項１２に記載の警報バルブステーション。
【請求項１４】
前記消火装置バルブ（１）の前記ケーシング（２、３）には、前記表示ユニット（４０）を可逆的に脱着可能に固定するための固定装置（４５）が配置されていること
を特徴とする、請求項６から１３のいずれか一項に記載の警報バルブステーション。
【請求項１５】
前記データインタフェース（１０）は、遠隔に配置されたデータ処理ユニットと単方向または双方向にケーブル接続または無線でデータ交換するように構成されていること
を特徴とする、請求項２から１４のいずれか一項に記載の警報バルブステーション。
【請求項１６】
前記表示ユニット（４０）と前記評価ユニット（５０）は、データインタフェース（１０）によって信号的に接続されていること
を特徴とする、請求項７から１５のいずれか一項に記載の警報バルブステーション。
【請求項１７】
前記表示ユニット（４０）と前記評価ユニット（５０）は、第２の専用データインタフェースによって信号的に接続されており、前記専用データインタフェースは、ＵＳＢインタフェース、ＰＣＩインタフェース、ＰＣＩ−Ｅｘｐｒｅｓｓインタフェース、サンダーボルトインタフェース、ＷＰＡＮインタフェース、あるいはＶＦＩＲ−ＩｒＤＡ、ＩＦＩＲ−ＩｒＤＡ、Ｂｌｕｅｔｏｏｔｈ、またはＮＦＣとして構成されていること
を特徴とする、請求項７から１５のいずれか一項に記載の警報バルブステーション。
【請求項１８】
前記表示ユニット（４０）と前記評価ユニット（５０）は、前記専用データインタフェースによって互いに識別し、自動的に信号接続を確立するように構成されていること
を特徴とする、請求項１７に記載の警報バルブステーション。
【請求項１９】
一以上の前記センサは、前記ケーシング（２、３）に組み込まれた一つ以上の圧力センサ（６）を含むこと
を特徴とする、請求項１から１８のいずれか一項に記載の警報バルブステーション。
【請求項２０】
前記消火装置バルブ（１）内の流体温度、および／または前記警報バルブステーション（８０）の一つ以上のさらなるコンポーネント内の温度、および／または警報バルブステーション（８０）の周囲温度を検出するように構成された一つ以上の温度センサ（７０）が設けられていること
を特徴とする、請求項１から１９のいずれか一項に記載の警報バルブステーション。
【請求項２１】
水の硬度を検出するため、および／または通流速度を検出するための一つ以上の内部測定装置（２１）が設けられていること
を特徴とする、請求項１から２０のいずれか一項に記載の警報バルブステーション。
【請求項２２】
少なくとも一つの流体パイプ（１１）を備え、さらに一つ以上の流体パイプが接続された警報バルブステーションを備える消火装置（１００）であって、前記警報バルブステーションは、請求項１から２１のいずれか一項に記載の警報バルブステーション（８０）として構成されていること
を特徴とする消火装置。
【手続補正２】
【補正対象書類名】明細書
【補正対象項目名】０００７
【補正方法】変更
【補正の内容】
【０００７】
【特許文献１】US 2014 014187 A1
【特許文献２】DE 199 04 477 A1
【特許文献３】JP 3685883 B2
【特許文献４】JP 3292567 B2
【特許文献５】DE 10 2007 049588 A1
【手続補正３】
【補正対象書類名】明細書
【補正対象項目名】００１２
【補正方法】変更
【補正の内容】
【００１２】
本発明はその基礎となる課題を請求項１にしたがい、評価ユニットが、一つまたは複数のアクチュエータと信号的に（信号を伝送するように）接続されており、かつ当該アクチュエータを制御命令によって制御するように構成されている、ことによって解決する。この構成によれば、警報バルブステーションは、好ましくは一つまたは複数のセンサを有し、評価ユニットは、好ましくは独立的に、当該評価ユニットのために存在するセンサデータに依存して一つまたは複数のアクチュエータを制御するように構成されている。
即ち本発明の第１の視点により、消火装置の警報バルブステーションであって、消火装置バルブとケーシングを備え、前記ケーシングは、流体入口室、流体出口室、および阻止状態と解放状態との間で往復運動可能な閉鎖体を有し、前記流体入口室と前記流体出口室は、阻止状態では互いに分離されており、解放状態では流体的に互いに連通しており、さらに電子的評価ユニットを備え、前記評価ユニットは、前記ケーシングに組み込まれているか、前記ケーシングに外部で配置されているか、または前記消火装置バルブの近傍領域に配置されているという警報バルブステーションであり、前記評価ユニットは、一つ以上のアクチュエータと信号的に接続されており、一つ以上の前記アクチュエータを制御命令によって制御するように構成されており、前記警報バルブステーションは、一つ以上のセンサを有し、前記評価ユニットは、一つ以上の前記センサと信号的に接続されており、前記評価ユニットのために存在するセンサデータに依存して一つ以上の前記アクチュエータを制御するように構成されていることを特徴とする警報バルブステーションが提供される。
更に本発明の第２の視点により、少なくとも一つの流体パイプを備え、さらに一つ以上の流体パイプが接続された警報バルブステーションを備える消火装置であって、前記警報バルブステーションは、前記第１の視点に記載の警報バルブステーションとして構成されていることを特徴とする消火装置が提供される。
尚、本願の特許請求の範囲に付記されている図面参照符号は、専ら本発明の理解の容易化のためのものであり、図示の形態への限定を意図するものではないことを付言する。
【手続補正４】
【補正対象書類名】明細書
【補正対象項目名】００１３
【補正方法】変更
【補正の内容】
【００１３】
本発明において、以下の形態が可能である。
（形態１）消火装置、とりわけスプリンクラー消火装置または水噴射消火装置の警報バルブステーションであって、消火装置バルブとケーシングを備え、前記ケーシングは、流体入口室、流体出口室、および阻止状態と解放状態との間で往復運動可能な閉鎖体を有し、前記流体入口室と前記流体出口室は、阻止状態では互いに分離されており、解放状態では流体的に互いに連通しており、さらに電子的評価ユニットを備え、前記評価ユニットは、前記ケーシングに組み込まれているか、前記ケーシングに外部で配置されているか、または前記消火装置バルブの近傍領域に配置されているという警報バルブステーションであり、前記評価ユニットは、一つ以上のアクチュエータと信号的に接続されており、一つ以上の前記アクチュエータを制御命令によって制御するように構成されており、前記警報バルブステーションは、好ましくは一つ以上のセンサを有し、前記評価ユニットは、一つ以上の前記センサと信号的に接続されており、前記評価ユニットのために存在するセンサデータに依存して一つ以上の前記アクチュエータを制御するように構成されていること。
（形態２）前記警報バルブステーションにおいて、前記評価ユニットは、データインタフェースを有し、前記データインタフェースにより制御命令を受信するように構成されており、かつ一つ以上の前記アクチュエータを受信された好ましくはさらに処理された制御命令によって制御するように構成されていることが好ましい。
（形態３）前記警報バルブステーションにおいて、前記閉鎖体は、制御駆動部としてのアクチュエータを有し、前記電子的評価ユニットは、前記閉鎖体を前記制御駆動部によって選択的に解放位置または阻止位置にもたらすように構成されていることが好ましい。
（形態４）前記警報バルブステーションにおいて、前記閉鎖体は、パイロット制御駆動部としてのアクチュエータを有し、前記電子的評価ユニットは、前記閉鎖体を前記パイロット制御駆動部によってロックまたはロック解除するように構成されていることが好ましい。
（形態５）前記警報バルブステーションにおいて、前記警報バルブステーションは、警報チャネルと、前記警報チャネルに注水するための検査バルブとを有し、前記検査バルブは、制御駆動部としてのアクチュエータを有し、前記電子的評価ユニットは、前記検査バルブを前記制御駆動部によって選択的に解放位置または阻止位置にもたらすように構成されていることが好ましい。
（形態６）前記警報バルブステーションにおいて、一つ以上のセンサを備え、前記評価ユニットは、データを受信するために一つ以上の前記センサと信号的に接続されており、状態情報、または操作指示のうちの少なくとも一つについてデータ処理するように構成されており、かつ前記状態情報および／または前記操作指示を表示ユニットに伝送するように構成されていることが好ましい。
（形態７）前記警報バルブステーションにおいて、好ましくは、前記状態情報および／または前記操作指示を前記評価ユニットから受信し、表示するように構成された、表示ユニットを有することが好ましい。
（形態８）前記警報バルブステーションにおいて、前記表示ユニットは、前記ケーシングに組み込まれていることが好ましい。
（形態９）前記警報バルブステーションにおいて、前記表示ユニットは、前記ケーシングに外部で配置されているか、または前記警報バルブステーションの近傍領域に配置されていることが好ましい。
（形態１０）前記警報バルブステーションにおいて、前記表示ユニットは、数値および／またはテキスト文字を表示するように構成されており、前記表示ユニットは、好ましくはディスプレイ、とりわけＬＣＤディスプレイまたはＬＥＤディスプレイを含むことが好ましい。
（形態１１）前記警報バルブステーションにおいて、前記表示ユニットは、携帯通信機器として、好ましくは移動無線機として、構成されていることが好ましい。
（形態１２）前記警報バルブステーションにおいて、前記評価ユニットおよび／または前記表示ユニットは、制御命令を入力するための入力装置を含むことが好ましい。
（形態１３）前記警報バルブステーションにおいて、前記入力装置は、感圧性の入力エレメントを有することが好ましい。
（形態１４）前記警報バルブステーションにおいて、前記消火装置バルブの前記ケーシングには、前記表示ユニットを可逆的に脱着可能に固定するための固定装置が配置されていることが好ましい。
（形態１５）前記警報バルブステーションにおいて、前記データインタフェースは、遠隔に配置されたデータ処理ユニットと単方向または双方向に好ましくは無線でデータ交換するように構成されていることが好ましい。
（形態１６）前記警報バルブステーションにおいて、前記表示ユニットと前記評価ユニットは、データインタフェースによって信号的に接続されていることが好ましい。
（形態１７）前記警報バルブステーションにおいて、前記表示ユニットと前記評価ユニットは、第２の専用データインタフェースによって信号的に接続されており、前記専用データインタフェースは、ＵＳＢインタフェース、ＰＣＩインタフェース、ＰＣＩ−Ｅｘｐｒｅｓｓインタフェース、サンダーボルトインタフェース、ＷＰＡＮインタフェース、とりわけＶＦＩＲ−ＩｒＤＡ、ＩＦＩＲ−ＩｒＤＡ、Ｂｌｕｅｔｏｏｔｈ、またはＮＦＣとして構成されていることが好ましい。
（形態１８）前記警報バルブステーションにおいて、前記表示ユニットと前記評価ユニットは、前記専用データインタフェースによって互いに識別し、好ましくは自動的に信号接続を確立するように構成されていることが好ましい。
（形態１９）前記警報バルブステーションにおいて、一つ以上の前記センサは、好ましくは前記ケーシングに組み込まれた一つ以上の圧力センサを含むことが好ましい。
（形態２０）前記警報バルブステーションにおいて、前記消火装置バルブ内の流体温度、および／または前記警報バルブステーションの一つ以上のさらなるコンポーネント内の温度、および／または警報バルブステーションの周囲温度を検出するように構成された一つ以上の温度センサが設けられていることが好ましい。
（形態２１）前記警報バルブステーションにおいて、水の硬度を検出するため、および／または通流速度を検出するための一つ以上の内部測定装置が設けられていることが好ましい。
（形態２２）少なくとも一つの流体パイプを備え、さらに一つ以上の流体パイプが接続された警報バルブステーションを備える消火装置、とりわけスプリンクラー装置または水噴射装置であって、前記警報バルブステーションは、前記形態のいずれか一つに記載の警報バルブステーションとして構成されていること。
【国際調査報告】
2018508713.tif 000010
2018508713.tif 000011
2018508713.tif 000012
2018508713.tif 000013
2018508713.tif 000014
2018508713.tif 000015